Podtech/llm-jp-corpus-v4-ja_patent huggingface dataset:
【手続補正書】
【提出日】平成20年9月4日(2008.9.4)
【手続補正１】
【補正対象書類名】特許請求の範囲
【補正対象項目名】全文
【補正方法】変更
【補正の内容】
【特許請求の範囲】
【請求項１】
ホスファターゼ活性を阻害するホスファターゼ阻害剤タンパク質をコードする配列を含む核酸を、ホスファターゼ活性を低下させ、それによりβアドレナリン応答性を高めるのに有効な量で含有してなる、心不全を治療するための医薬組成物。
【請求項２】
前記ホスファターゼ阻害剤タンパク質が、１型ホスファターゼを阻害するものである請求項１に記載の医薬組成物。
【請求項３】
前記ホスファターゼ阻害剤タンパク質が、完全長のタンパク質である請求項１又は２に記載の医薬組成物。
【請求項４】
前記ホスファターゼ阻害剤タンパク質が、構成的に活性なフラグメントである請求項１又は２に記載の医薬組成物。
【請求項５】
前記ホスファターゼ阻害剤タンパク質が、ホスファターゼ阻害剤１又はそのフラグメントである請求項１に記載の医薬組成物。
【請求項６】
前記ホスファターゼ阻害剤タンパク質が、ホスファターゼ阻害剤１の構成的に活性なフラグメントである請求項５に記載の医薬組成物。
【請求項７】
前記ホスファターゼ阻害剤１タンパク質が、第３５位にトレオニンを有する請求項５に記載の医薬組成物。
【請求項８】
前記ホスファターゼ阻害剤１タンパク質が、第３５位にアスパラギン酸（Ｔ３５Ｄ）を有する請求項５に記載の医薬組成物。
【請求項９】
前記ホスファターゼ阻害剤タンパク質が、第３５位にアスパラギン酸（Ｔ３５Ｄ）を有するホスファターゼ阻害剤１の第１位〜第６５位のアミノ酸を含み、第１７１位、第９０位、第７０位、第６７位、第６６位、第６５位、第６１位又は第５４位のアミノ酸で又はその前で切断されている、請求項１〜８のいずれかに記載の医薬組成物。
【請求項１０】
前記核酸が、さらにコード配列に作動可能に結合したプロモーターを含む、請求項１〜９のいずれかに記載の医薬組成物。
【請求項１１】
前記プロモーターが構成的プロモーターである、請求項１０に記載の医薬組成物。
【請求項１２】
前記プロモーターが、少なくともその１つが心筋組織である、組織のサブセットにおいて発現している、請求項１０又は１１に記載の医薬組成物。
【請求項１３】
前記プロモーターが、サイトメガロウイルス（ＣＭＶ）又は心特異的な心筋トロポニンＴ、ミオシン重鎖若しくはミオシン軽鎖の調節配列を含むものである、請求項１０〜１２のいずれかに記載の医薬組成物。
【請求項１４】
前記医薬組成物が、さらにウイルス粒子を含むものである、請求項１〜１３のいずれかに記載の医薬組成物。
【請求項１５】
前記ウイルス粒子が、レンチウイルス粒子である、請求項１〜１４のいずれかに記載の医薬組成物。
【請求項１６】
前記ウイルス粒子が、アデノ随伴ウイルス粒子である、請求項１〜１４のいずれかに記載の医薬組成物。
【請求項１７】
前記アデノ随伴ウイルス（ＡＡＶ）粒子が血清型ＡＡＶ６である、請求項１６に記載の医薬組成物。
【請求項１８】
前記医薬組成物が、筋細胞収縮を生じさせ、弛緩のための時間定数、タウ（τ）を低下させ、カルシウムシグナルの減衰を促すのに有効な量で導入される、請求項１〜１７のいずれかに記載の医薬組成物。
【請求項１９】
前記医薬組成物が、ホスホランバンの１６位のセリンのリン酸化を上昇させるのに有効な量で導入される、請求項１〜１８のいずれかに記載の医薬組成物。
【請求項２０】
前記医薬組成物が、収縮末期圧−径関係を改善するために有効な量で導入される、請求項１〜１９のいずれかに記載の医薬組成物。
【請求項２１】
前記心不全が、虚血、不整脈、心筋梗塞、心収縮異常又はＣａ２＋代謝異常を有する、請求項１〜２０のいずれかに記載の心不全。
【請求項２２】
医薬組成物が、冠状血管の血流が制限された後で、冠状動脈の内腔に導入されるものである請求項１〜２１のいずれかに記載の医薬組成物。
【請求項２３】
血流が制限される冠状血管が、左冠動脈前下行枝（ＬＡＤ）、冠状動脈、左冠動脈回旋枝（ＬＣＸ）、大冠状静脈（ＧＣＶ）、中心静脈（ＭＣＶ）、又は前室間静脈（ＡＩＶ）を含むものである、請求項２２に記載の医薬組成物。 
【請求項２４】
医薬組成物が、冠状血管の虚血プレコンディショニングの後に導入されるものである請求項２２又は２３に記載の医薬組成物。
【請求項２５】
医薬組成物が、心臓からの大動脈血流を制限しながら心臓に注入させることにより、ベクターを心臓に送達されるものである請求項１〜２４のいずれかに記載の医薬組成物。
【請求項２６】
医薬組成物が、
血流が再び冠状動脈へと向かうように、心臓からの大動脈血流を制限する；
ベクターが冠状動脈に流入するように、ベクターを心臓の内腔、大動脈口又は冠状動脈口に注入する；
大動脈流出量を制限している間も心臓がポンプの役割を果たすことを可能にすること；及び
血流を再確立することによって心臓に注入されるものである請求項１〜２５のいずれかに記載の医薬組成物。
【請求項２７】
医薬組成物が、カテーテルで心臓に注入されるものである請求項１〜２６のいずれかに記載の医薬組成物。
【請求項２８】
医薬組成物が、心機能のパラメータを用いて評価されるものである請求項１〜２７のいずれかに記載の医薬組成物。
【請求項２９】
前記心機能のパラメータが：心拍数、心臓代謝、心収縮力、心室機能、Ｃａ２＋代謝又は筋小胞体Ｃａ２＋ＡＴＰアーゼ活性のうちの１つ又はそれ以上である、請求項２８に記載の方法。
【請求項３０】
医薬組成物が、心筋に直接注入されるものである請求項１〜２１のいずれかに記載の医薬組成物。
【請求項３１】
心筋細胞のホスファターゼ活性を阻害するタンパク質をコードする配列を有する非ウイルス核酸を含んでなるウイルス性核酸を含有してなるウイルス送達システム。
【請求項３２】
前記タンパク質が、Ｉ−１の構成的に活性なフラグメントである請求項３１に記載のシステム。
【請求項３３】
前記ウイルス送達システムが、アデノ随伴ウイルス、アデノウイルス又はレンチウイルス由来のものである請求項３１又は３２に記載のシステム。
【請求項３４】
ウイルスパッケージングシグナルに作動可能に結合した核酸を含む宿主細胞を、粒子形成に必要なウイルス遺伝子産物を供給することができる成分を提供する１つ又はそれ以上の試薬と接触させること、及び
宿主細胞を取巻く媒体から、核酸をパッケージするが複製可能なウイルスを含まないウイルス粒子を回収することを含む、ホスファターゼ活性を調節する核酸を含むウイルス粒子を製造する方法。
【請求項３５】
１つ又はそれ以上の前記試薬がヘルパーウイルスを含むものである、請求項３４に記載の方法。
【手続補正書】
【提出日】平成20年9月8日(2008.9.8)
【手続補正１】
【補正対象書類名】特許請求の範囲
【補正対象項目名】全文
【補正方法】変更
【補正の内容】
【特許請求の範囲】
【請求項１】
以下の式の化合物またはその製薬上許容可能な塩：
【化１】
2008512490.tif 000001
（式中、Ｙ１およびＹ２がどちらも酸素であり、かつＶ１およびＶ２がどちらも酸素である場合は、Ｒ１、Ｒ２、Ｒ３、Ｒ４、Ｒ５、Ｒ６、およびＲ７のうちの少なくとも２つはＨではなく、
Ｘは、ＣＨ２、ＣＨＣＨ３、ＣＨ（ＣＨ２ＣＨ３）、ＮＨ、ＮＣＨ３、またはＮＲ７であり、
Ｒ１、Ｒ２、Ｒ３、Ｒ４、およびＲ７は、独立して、Ｈ、任意選択的に置換されているアルキル、任意選択的に置換されているアルケニルもしくはアルキニル、アシル、−Ｃ（Ｏ）−（アルキル）、−Ｃ（Ｏ）−（アルケニル）、−Ｃ（Ｏ）−（アルキニル）、−Ｃ（＝Ｙ３）Ｖ３、脂質、リン脂質、炭水化物、ペプチド、コレステロール、アミノ酸残基もしくはアミノ酸のアシル残基から選択され；
Ｒ５およびＲ６は、独立して、Ｈ、任意選択的に置換されているアルキル、任意選択的に置換されているアルケニルもしくはアルキニル、脂質、リン脂質、炭水化物、ペプチド、コレステロール、アミノ酸の残基もしくは誘導体、またはｉｎ  ｖｉｖｏで投与した場合に−Ｃ（＝Ｙ）Ｖ-もしくは−Ｃ（＝Ｙ）ＶＨ部分を提供することができる他の製薬上許容可能な脱離基から選択され；
各Ｙ１、Ｙ２、およびＹ３は、独立して、Ｏ、ＳまたはＮＪ１であり；
各Ｖ１およびＶ２は、独立して、Ｏ、ＳまたはＮＪ１であり、
各Ｖ３は、独立して、ＯＨ、ＯＪ１、ＳＨ、ＳＪ１、ＮＨ２、ＮＨＪ１、ＮＪ１Ｊ２、ＣＨ３、ＣＨ２Ｒ１０１、ＣＨＲ１０１Ｒ１０２、またはＣＲ１０１Ｒ１０２Ｒ１０３であり；
各Ｊ１、Ｊ２およびＪ３は、独立して、水素、アルキル、アルケニル、アルキニル、アルカリル、シクロアルキル、アリール、シクロアリール、ヘテロアルキル、複素環、ヘテロアリール、ヒドロキシル、アルコキシ、またはアミンであり；
各Ｒ１００、Ｒ１０１、Ｒ１０２、およびＲ１０３は、独立して、水素、アルキル、アルケニル、アルキニル、アリール、アシル、ヘテロアリール、ヘテロアルキル、ヒドロキシル、アルコキシ、シアノ、アジド、ハロゲン、ニトロ、ＳＯ２、ＳＯ３、チオアルキル、またはアミノである）。
【請求項２】
請求項１に記載の化合物と、製薬上許容可能な担体とを含む医薬組成物。
【請求項３】
前記製薬上許容可能な担体が、微結晶性セルロース、ポリエチレングリコール、カルボキシメチルセルロース、またはシクロデキストリンである、請求項２に記載の医薬組成物。
【請求項４】
第２の治療剤をさらに含む、請求項２に記載の医薬組成物。
【請求項５】
前記第２の治療剤が、抗新生物剤、非ステロイド性抗炎症剤、鎮痛剤、コルチコステロイド、抗自己免疫疾患剤および疾患修飾性抗リウマチ剤からなる群から選択される、請求項４に記載の医薬組成物。
【請求項６】
前記抗新生物剤が、抗血管新生剤、アルキル化剤、代謝拮抗剤および細胞毒性剤からなる群から選択される、請求項５に記載の医薬組成物。
【請求項７】
前記疾患修飾性抗リウマチ剤が、ＴＮＦ遮断剤である、請求項５に記載の医薬組成物。
【請求項８】
前記第２の治療剤が、エタネルセプト、インフリキシマブ、アダリムマブ、ＣＤＰ−８７０、リツキシマブ、アバタセプト、アクテムラ、レフルノミドおよびメトトレキサートからなる群から選択される、請求項４に記載の医薬組成物。
【請求項９】
異常細胞増殖によって特徴づけられる疾患もしくは障害、炎症性疾患もしくは障害、または自己免疫疾患もしくは障害の治療のための、請求項１に記載の化合物を含む医薬組成物。
【請求項１０】
前記疾患または障害が、乾癬、新生物疾患、炎症性腸疾患、多発性硬化症、クローン病、潰瘍性大腸炎、アテローム性動脈硬化症、再狭窄、または関節リウマチである、請求項９に記載の医薬組成物。
【手続補正書】
【提出日】平成20年7月18日(2008.7.18)
【手続補正１】
【補正対象書類名】特許請求の範囲
【補正対象項目名】全文
【補正方法】変更
【補正の内容】
【特許請求の範囲】
【請求項１】
好中球減少症、白血球減少症、血小板減少症、貧血、再生不良性貧血または血小板欠失症の治療で骨髄抑制患者に対して使用する生体外培養血球の利用であって、前記生体外培養血球はサイトカインとカルシウムイオノフォアの存在下で試験管内にて培養され、骨髄造血を増加あるいは赤血球、白血球または血小板を増加させるように活性化されることを特徴とする利用。
【請求項２】
骨髄抑制は放射線療法または化学療法で誘発されることを特徴とする請求項１記載の利用。
【請求項３】
サイトカインはインターロイキン−２であることを特徴とする請求項１または２記載の利用。
【請求項４】
血球は顆粒血球マクロファージコロニー刺激因子を含むサイトカインの存在下で培養されることを特徴とする請求項１から３のいずれかに記載の利用。
【請求項５】
血球は患者に対して同種異系であることを特徴とする請求項１から４のいずれかに記載の利用。
【請求項６】
血球は遠心分離によって血液血清から分離されていることを特徴とする請求項１から５のいずれかに記載の利用。
【請求項７】
血球は末梢単核血球であることを特徴とする請求項１から６のいずれかに記載の利用。
【請求項８】
血球は哺乳動物の血清の存在下で培養されることを特徴とする請求項１から７のいずれかに記載の利用。
【請求項９】
血球は少なくとも３種類の血球を含むことを特徴とする請求項１から９のいずれかに記載の利用。
【請求項１０】
体外培養血球は多分化造血を誘発することを特徴とする請求項１から９のいずれかに記載の利用。
【手続補正書】
【提出日】平成20年9月5日(2008.9.5)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2008512451.tif 000001
（式中、R1、R2 およびR3 はそれぞれ独立してメチルまたはエチルを表し、そしてR4 は水素またはメチルを表す）
のジアルコキシアルキルホスフィン酸アルキルの製造方法であって、次亜リン酸塩を式（II）：
【化２】
2008512451.tif 000002
（式中、R1、R2、R3 およびR4 は上記のとおりである）
の化合物と、溶媒および酸の存在下で反応させる、上記方法。
【請求項２】
次亜リン酸塩が、次亜リン酸アンモニウム、次亜リン酸ナトリウムおよび次亜リン酸カリウムから選択される、請求項１に記載の方法。
【請求項３】
式（II）の化合物が、トリメチルオルトホルメート、トリエチルオルトホルメート、トリメチルオルトアセテートおよびトリエチルオルトアセテートから選択される、請求項１または２に記載の方法。
【請求項４】
酸が、メタンスルホン酸、硫酸、三フッ化ホウ素エテラートおよびトリフルオロメタンスルホン酸から選択される、請求項１〜３のいずれかに記載の方法。
【請求項５】
酸が５％未満の水を含有する、請求項４に記載の方法。
【請求項６】
酸が２％未満の水を含有する、請求項５に記載の方法。
【請求項７】
溶媒がトルエンまたはトルエンとエタノールの混合物から選択される、請求項１〜６のいずれかに記載の方法。
【請求項８】
方法が０℃から２０℃の温度で行われる、請求項１〜７のいずれかに記載の方法。
【請求項９】
方法が１から２０時間の間に行われる、請求項１〜８のいずれかに記載の方法。
【請求項１０】
R1 がエチル、R2 がエチルおよびR3 がエチルである、請求項１〜９のいずれかに記載の方法。
【請求項１１】
R4 がエチルである、請求項１〜１０のいずれかに記載の方法。
【請求項１２】
請求項１に記載の方法で得られたジアルコキシアルキルホスフィン酸アルキルを用いて製造した医薬を哺乳動物に投与することからなる、疾患の治療方法。
【手続補正書】
【提出日】平成20年6月20日(2008.6.20)
【手続補正１】
【補正対象書類名】明細書
【補正対象項目名】００２９
【補正方法】変更
【補正の内容】
【００２９】
Ｒ−（−）−セルタコナゾール一硝酸塩（Ｖ）
ａ）Ｒ−（−）−セルタコナゾール一硝酸塩ヘミアセトネート（ＶＩＩ）の調製
１０Ｌフラスコに、１．５４Ｌのトルエン、５００ｇのＲ−（−）−１−（２，４−ジクロロフェニル）−２−（１Ｈ−イミダゾール−１−イル）−エタノール（ＶＩ）（１．９４モル）及び３３．５ｇのテトラブチルアンモニウム酸性硫酸塩（Ｘ）（０．０９８７モル）を装入した。次いで、７７５ｇの４９％ＮａＯＨ（９．５１モル）をゆっくりと添加した。この混合物を３５〜４０℃に加熱し、さらに１５分間撹拌し、次いで５５５ｇの３−ブロモメチル−７−クロロベンゾ［ｂ］チオフェン（ＩＩＩ、Ｌ＝Ｂｒ）（２．１２２モル）及び３．４Ｌのトルエンを３７〜４０℃の反応塊温度において３０分間かけて添加した。添加後、この系を３７から４０℃に２．５時間保ち、次いで３．１６Ｌの水を添加した。この混合物をデカントし、有機層を０．８６５Ｌの水で２回洗浄した。この溶媒を減圧下で蒸留した。得られた粗生成物を、２．５Ｌのエタノールに溶解し、１Ｌの水中の２９０ｇの６０％硝酸（２．７６モル）の溶液を添加し、次いで−５から５℃に冷却し１時間保った。形成された固形物をろ過し水で洗浄した。１０Ｌフラスコに、前述の操作で得られた固形物を装入し、この固形物をアセトン−エタノールの混合物から再結晶させてＲ−（−）−セルタコナゾール一硝酸塩と１／２モルのアセトンとの溶媒和物（ＶＩＩ）を得た。
【表１】
2008512421.tif 000001
【手続補正書】
【提出日】平成20年8月8日(2008.8.8)
【手続補正１】
【補正対象書類名】特許請求の範囲
【補正対象項目名】全文
【補正方法】変更
【補正の内容】
【特許請求の範囲】
【請求項１】
式Ｉの１５β−置換ステロイド化合物
【化１】
2008512426.tif 000001
［式中、
Ｒ１は、Ｈ、Ｃ１〜５アルキル、Ｃ１〜１２アシル、ジ−（Ｃ１〜５アルキル）アミノカルボニル、（Ｃ１〜５アルキル）オキシカルボニルまたはスルファモイルであり、
Ｒ２は、Ｈ、Ｃ１〜３アルキル、Ｃ２〜３アルケニルまたはＣ２〜３アルキニルであり、これらのそれぞれはハロゲンで場合によって置換されていてもよく、
Ｒ３は、Ｃ１〜２アルキル、エテニルまたはエチニルであり、これらのそれぞれはハロゲンで場合によって置換されていてもよく、および
Ｒ４は、ＨまたはＣ１〜１２アシルである。］。
【請求項２】
Ｒ２が、Ｃ１〜３アルキル、Ｃ２〜３アルケニルまたはＣ２〜３アルキニルであり、これらのそれぞれはハロゲンで場合によって置換されてもよいことを特徴とする、請求項１に記載の化合物。
【請求項３】
Ｒ１およびＲ４が両方ともＨであることを特徴とする、請求項１または２に記載の化合物。
【請求項４】
Ｒ１がＨであり、Ｒ２がＨまたはＣ１−３アルキルであり、Ｒ３がＣ１−２アルキルであり、Ｒ４がＨであることを特徴とする、請求項１に記載の化合物。
【請求項５】
Ｒ１がＨであり、Ｒ２がＨまたはＣ１−2アルキルであり、Ｒ３がメチルであり、Ｒ４がＨであることを特徴とする、請求項１に記載の化合物。
【請求項６】
化合物が、７α−エチル−１５β−メチル−１９−ノル−１７α−プレグナ−１，３，５（１０）−トリエン−２０−イン−３，１７β−ジオールであることを特徴とする、請求項１に記載の化合物。
【請求項７】
請求項１〜６のいずれか一項に記載の化合物および薬剤として許容される賦形剤を含む薬剤組成物。
【請求項８】
治療において使用される、請求項１〜６のいずれか一項に記載の化合物。
【請求項９】
エストロゲン受容体関連疾患の治療もしくは予防、またはその他のエストロゲン受容体関連の生理的状態の調節もしくは治療もしくは予防のための薬剤を製造するための、請求項１〜６のいずれか一項に記載の化合物の使用。
【請求項１０】
ホルモン治療のための薬剤を製造するための、請求項９に記載の使用。
【請求項１１】
ホルモン治療が更年期愁訴のためであることを特徴とする、請求項１０に記載の使用。
【請求項１２】
ホルモン治療が骨粗鬆症のためであることを特徴とする、請求項１０に記載の使用。
【請求項１３】
避妊に使用する薬剤を製造するための、請求項９に記載の使用。
【手続補正書】
【提出日】平成20年8月14日(2008.8.14)
【手続補正１】
【補正対象書類名】特許請求の範囲
【補正対象項目名】全文
【補正方法】変更
【補正の内容】
【特許請求の範囲】
【請求項１】
以下を含んでなる、医薬組成物。
−テストステロンを０．５〜５．０％（ｗ／ｗ）
−少なくとも一つのＣ２−Ｃ６アルコールを４０．０〜７５．０％（ｗ／ｗ）
−少なくとも一つのゲル化剤を０．１〜５．０％（ｗ／ｗ）
−プロピレングリコールを０．１〜５．０％（ｗ／ｗ）
−ミリスチン酸イソプロピルを０．０５〜５．０％（ｗ／ｗ）
−任意に水。
【請求項２】
前記Ｃ２−Ｃ６アルコールが、エタノール、プロパン−１−オール及びプロパン−２−オール、並びにそれらの混合物からなる群より選択される、請求項１記載の医薬組成物。
【請求項３】
前記ゲル化剤が、アクリル酸ベースのポリマー、カルボキシメチルセルロース、ヒドロキシプロピルセルロース、ヒドロキシエチルセルロース、セルロース化合物及びそれらの混合物からなる群から選択される、請求項１又は２のいずれか一項記載の医薬組成物。
【請求項４】
更に塩基を、好ましくはトリエタノールアミン、水酸化ナトリウム、水酸化アンモニウム、水酸化カリウム、アルギニン、アミノメチルプロパノール、トロメタミン及びそれらの混合物からなる群から選択される塩基を含む、請求項１乃至３のいずれか一項記載の医薬組成物。
【請求項５】
請求項１乃至４のいずれか一項記載の医薬組成物を含む、経真皮送達又は経表皮送達に有用なゲル。
【請求項６】
請求項１乃至４のいずれか一項記載の医薬組成物又は請求項５記載のゲルを含む、単位投与パケット、単回投与パケット又は複数回投与パケット。
【請求項７】
請求項１乃至４のいずれか一項記載の医薬組成物又は請求項５記載のゲルを含む、例えば手押しポンプなどのディスペンサー。
【請求項８】
少なくとも一つのＣ２−Ｃ６アルコール、プロピレングリコール、ミリスチン酸イソプロピル及びテストステロンを含む混合物を準備する工程と、
任意に水を添加し、混合する工程と、
任意にこの混合物にゲル化剤を添加し、混合する工程と、
任意に塩基を添加し、再度混合する工程を含む、請求項１乃至４のいずれか一項記載の医薬組成物又は請求項５記載のゲルを調製する方法。
【手続補正書】
【提出日】平成20年9月2日(2008.9.2)
【手続補正１】
【補正対象書類名】明細書
【補正対象項目名】００７８
【補正方法】変更
【補正の内容】
【００７８】
本発明の化合物はまた、限定するものではないが、潰瘍性大腸炎、クローン病、回腸炎、直腸炎、セリアック病、胃腸炎、顕微鏡的大腸炎もしくはコラーゲン蓄積大腸炎、好酸球性胃腸炎、または直腸結腸切除および回腸肛門吻合後に引き起こされる嚢炎、および幽門けいれん、神経性の消化不良、けいれん性結腸、けいれん性大腸炎、けいれん性腸症、腸神経症、機能性大腸炎、粘液性大腸炎、および下剤による大腸炎などの、腹痛および／または腹部不快感を伴う任意の障害を含む過敏性腸症候群；また、萎縮性胃炎、疣状胃炎、消化性潰瘍、胸焼け、および消化管への他の損傷（例えば、ヘリコバクター・ピロリ（Helicobacter pylori）、胃食道逆流症、糖尿病性胃不全麻痺などの胃不全麻痺による）；および非潰瘍性消化不良（ＮＵＤ）などの他の機能性腸障害；嘔吐、下痢、内臓の炎症を含む炎症性腸障害などの消化管（ＧＩ）障害の選択的治療に有用である。
【手続補正２】
【補正対象書類名】明細書
【補正対象項目名】００７９
【補正方法】変更
【補正の内容】
【００７９】
本発明の化合物はまた、過活動膀胱、前立腺炎（慢性細菌性および慢性非細菌性前立腺炎）、プロスタディニア、間質性膀胱炎、尿失禁および子宮付属器炎、骨盤内炎症、バルトリン腺炎および膣炎などの尿路性器の障害の選択的治療に有用である。
【手続補正書】
【提出日】平成20年8月21日(2008.8.21)
【手続補正１】
【補正対象書類名】特許請求の範囲
【補正対象項目名】全文
【補正方法】変更
【補正の内容】
【特許請求の範囲】
【請求項１】
式Ｉ：
【化１】
2008512408.tif 000001
の化合物、及びその生理学的に許容し得る塩。
式中、
Ｒ１、Ｒ２は独立してＨ、（Ｃ１−Ｃ６）−アルキルであるか、又はＲ１及びＲ２が結合した炭素原子と共に（Ｃ３−Ｃ６）−シクロアルキル、フェニルであり；
Ｒ３はＨ、Ｆ、Ｃｌ、Ｂｒ、ＮＯ2、ＣＮ、ＣＦ3、ＳＣＨ3、（Ｃ１−Ｃ６）−アルキル、（Ｃ２−Ｃ６）−アルケニル、（Ｃ１−Ｃ４）−アルキレン−Ｏ−（Ｃ１−Ｃ４）−アルキルであり；
Ｒ４はＨ、（Ｃ１−Ｃ６）−アルキルであり；
Ｒ５はＨ、（Ｃ１−Ｃ６）−アルキル、フェニルであり；
Ｒ６はＨ、Ｆ、Ｃｌ、Ｂｒ、ＣＮ、ＣＦ3、ＳＣＨ3、（Ｃ１−Ｃ６）−アルキル、（Ｃ１−Ｃ４）−アルキレン−Ｏ−（Ｃ１−Ｃ４）−アルキルであり；
Ｒ７は（Ｃ１−Ｃ６）アルキル、（Ｃ１−Ｃ４）アルキレン−Ｏ−（Ｃ１−Ｃ４）アルキル、（Ｃ１−Ｃ６）アルキレン−フェニル、（Ｃ１−Ｃ４）アルキレン−Ｏ−（Ｃ１−Ｃ４）アルキレン−フェニル、（Ｃ３−Ｃ６）シクロアルキル、（Ｃ２−Ｃ６）アルケニル、フェニル、Ｏ−フェニル、（Ｃ１−Ｃ６）アルキレン−Ｓ(Ｏ)n−（Ｃ１−Ｃ６）アルキル、（Ｃ１−Ｃ６）アルキレン−ＮＲ１０Ｒ１１、（Ｃ１−Ｃ６）アルキレン−ＣＯＮＲ１０Ｒ１１、（Ｃ１−Ｃ６）アルキレン−ＳＯ2ＮＲ１０Ｒ１１、（Ｃ１−Ｃ６）アルキレン−ＮＲ１０ＳＯ2−（Ｃ１−Ｃ６）アルキル、（Ｃ１−Ｃ６）アルキレン−ＯＣＯＮＲ１０Ｒ１１、（Ｃ１−Ｃ６）アルキレン−ＮＲ１０ＣＯＲ１１、（Ｃ１−Ｃ６）アルキレン−ＮＲ１０ＣＯＮＲ１１であり、ここでアルキルは１つ又はそれ以上のフッ素原子又はフェニルで置換されていてもよく、そしてｎは０、１又は２であり得；
Ｒ８、Ｒ９は独立してＨ、Ｆ、Ｃｌ、Ｂｒ、ＣＦ3、ＯＣＦ3、（Ｃ１−Ｃ６）−アルキル、Ｏ−（Ｃ１−Ｃ６）−アルキル、ＳＣＦ3、ＳＦ5、ＯＣＨＦ2、ＯＣＨ2Ｆ、ＯＣＦ2−ＣＨＦ2、Ｏ−フェニル、ＯＨ、ＮＯ2であり；
Ｒ１０、Ｒ１１はＨ、場合によっては１〜３個のＦで置換されている（Ｃ１−Ｃ６）−アルキル若しくは（Ｃ３−Ｃ６）−シクロアルキル、又はヘテロアリールであり；Ｒ１０とＲ１１はそれらが結合したＮ原子と共に４、５又は６−員の飽和、部分飽和又は不飽和の複素環を形成してもよく、該複素環においてＣ原子はＮ、Ｏ、Ｓ、ＳＯ、ＳＯ2で置換されてもよく；
Ｘは−ＣＨ2−又は−ＣＨ2ＣＨ2−である。
【請求項２】
フェニルがＲ９によってのみ置換されている請求項１記載の式Ｉの化合物。
【請求項３】
Ｒ９がパラ位置にある請求項１又は２記載の式Ｉの化合物。
【請求項４】
１つ又はそれ以上の置換基が下記の意味：
Ｒ１、Ｒ２がＨ；
Ｒ３がＨ、（Ｃ１−Ｃ６）−アルキル；
Ｒ４がＨ；
Ｒ５がＨ；
Ｒ６がＨ；
Ｒ７が（Ｃ１−Ｃ６）アルキル、（Ｃ１−Ｃ４）アルキレン−Ｏ−（Ｃ１−Ｃ４）アルキル、（Ｃ１−Ｃ６）アルキレン−フェニル、（Ｃ１−Ｃ４）アルキレン−Ｏ−（Ｃ１−Ｃ４）アルキレン−フェニル、（Ｃ３−Ｃ６）シクロアルキル、（Ｃ２−Ｃ６）アルケニル、フェニル、Ｏ−フェニル、（Ｃ１−Ｃ６）アルキレン−Ｓ(Ｏ)n−（Ｃ１−Ｃ６）アルキル、（Ｃ１−Ｃ６）アルキレン−ＮＲ１０Ｒ１１、（Ｃ１−Ｃ６）アルキレン−ＣＯＮＲ１０Ｒ１１、（Ｃ１−Ｃ６）アルキレン−ＳＯ2ＮＲ１０Ｒ１１、（Ｃ１−Ｃ６）アルキレン−ＮＲ１０ＳＯ2−（Ｃ１−Ｃ６）アルキル、（Ｃ１−Ｃ６）アルキレン−ＯＣＯＮＲ１０Ｒ１１、（Ｃ１−Ｃ６）アルキレン−ＮＲ１０ＣＯＲ１１、（Ｃ１−Ｃ６）アルキレン−ＮＲ１０ＣＯＮＲ１１、ここでアルキルは１つ又はそれ以上のフッ素原子又はフェニルで置換されていてもよく、そしてｎは０、１又は２であり得；
Ｒ８がＨ；
Ｒ９がＣＦ3；
Ｒ１０、Ｒ１１がＨ、場合によっては１ないし３個のＦで置換された（Ｃ１−Ｃ６）−アルキル若しくは（Ｃ３−Ｃ６）−シクロアルキル、又はヘテロアリールであるか；Ｒ１０とＲ１１はそれらが結合したＮ原子と一緒に４、５又は６−員複素環であって、Ｃ原子がＮ、Ｏ、Ｓ、ＳＯ、ＳＯ2で置換されてもよい該複素環を形成してもよく；
Ｘが−ＣＨ2−
である請求項１ないし３のいずれか１項に記載の式Ｉの化合物。
【請求項５】
１つ又はそれ以上の置換基が下記の意味：
Ｒ１、Ｒ２がＨ；
Ｒ３がＨ、（Ｃ１−Ｃ６）−アルキル；
Ｒ４がＨ；
Ｒ５がＨ；
Ｒ６がＨ；
Ｒ７が（Ｃ１−Ｃ６）アルキル、（Ｃ１−Ｃ４）アルキレン−Ｏ−（Ｃ１−Ｃ４）アルキル、（Ｃ１−Ｃ６）アルキレン−フェニル、（Ｃ１−Ｃ４）アルキレン−Ｏ−（Ｃ１−Ｃ４）アルキレン−フェニル、（Ｃ３−Ｃ６）シクロアルキル、（Ｃ２−Ｃ６）アルケニル、フェニル、Ｏ−フェニル、ここでアルキルは１つ又はそれ以上のフッ素原子又はフェニルで置換されていてもよく、そしてｎは０、１又は２であり得；
Ｒ８がＨ；
Ｒ９がＣＦ3；
Ｘが−ＣＨ2−
である請求項１ないし４のいずれか１項に記載の式Ｉの化合物。
【請求項６】
Ｒ１、Ｒ２、Ｒ５、Ｒ６がＨ；
Ｒ３がＨ、（Ｃ１−Ｃ６）−アルキル；
Ｒ４がＨ；
Ｒ７が（Ｃ１−Ｃ６）−アルキル；
Ｒ８がＣＦ3；
Ｒ９がＨ；
Ｘが−ＣＨ2−
である請求項１ないし５のいずれか１項に記載の式Ｉの化合物。
【請求項７】
請求項１ないし６のいずれか１項に記載の式Ｉの化合物の１つ又はそれ以上を含む医薬。
【請求項８】
請求項１ないし６のいずれか１項に記載の式Ｉの化合物の１つ又はそれ以上、及び代謝障害又はしばしばそれに付随する障害に好ましい効果を有する活性物質の１つ又はそれ以上を含む医薬。
【請求項９】
請求項１ないし６のいずれか１項に記載の式Ｉの化合物の１つ又はそれ以上、及び抗糖尿病薬の１つ又はそれ以上を含む医薬。
【請求項１０】
請求項１ないし６のいずれか１項に記載の式Ｉの化合物の１つ又はそれ以上、及び脂質調節剤の１つ又はそれ以上を含む医薬。
【請求項１１】
脂肪酸代謝障害及びグルコース利用障害の治療又は予防用医薬の製造における請求項１ないし６のいずれか１項に記載の式Ｉの化合物の使用。
【請求項１２】
インスリン抵抗が関係した障害の治療又は予防用医薬の製造における請求項１ないし６のいずれか１項に記載の式Ｉの化合物の使用。
【請求項１３】
糖尿病に関連した続発症の予防を含む糖尿病の治療又は予防用医薬の製造における請求項１ないし６のいずれか１項に記載の式Ｉの化合物の使用。
【請求項１４】
異常脂質血症及びその続発症の治療又は予防用医薬の製造における請求項１ないし６のいずれか１項に記載の式Ｉの化合物の使用。
【請求項１５】
代謝症候群に関連し得る症状の治療又は予防用医薬の製造における請求項１ないし６の
いずれか１項に記載の式Ｉの化合物の使用。
【請求項１６】
脱髄性及び髄鞘形成障害性疾患の治療又は予防用医薬の製造における請求項１ないし６のいずれか１項に記載の式Ｉの化合物の使用。
【請求項１７】
少なくとも１種の別の活性化合物と組み合わせての、脂肪酸代謝障害及びグルコース利用障害の治療用医薬の製造における請求項１ないし６のいずれか１項に記載の式Ｉの化合物の使用。
【請求項１８】
少なくとも１種の別の活性化合物と組み合わせての、インスリン抵抗が関係した障害の治療用医薬の製造における請求項１ないし６のいずれか１項に記載の式Ｉの化合物の使用。
【手続補正書】
【提出日】平成20年7月4日(2008.7.4)
【手続補正１】
【補正対象書類名】特許請求の範囲
【補正対象項目名】全文
【補正方法】変更
【補正の内容】
【特許請求の範囲】
【請求項１】
直腸投与又は膣投与のための薬学的組成物であって、活性物質として一般式Ｉ：
【化１】
2008512401.tif 000001
（式中、
Ａはそれぞれ独立して、−ＮＨ３基又は炭素数１〜１８のアミノ基であり、
Ｂはそれぞれ独立して、ハロゲン原子、ヒドロキシ基又は−ＯＣ（Ｏ）Ｒ基（ここで、Ｒはそれぞれ独立して、水素原子又は炭素数１〜１０のアルキル基、アルケニル基、アリール基、アラルキル基、アルキルアミノ基若しくはアルコキシ基、或いはこれらの基の機能的誘導体である）であり、
Ｘはそれぞれ独立して、ハロゲン原子又は炭素数１〜２０のモノカルボキシレート基であるか、或いはＸは共に炭素数２〜２０のジカルボキシレート基を形成する）
を有する白金錯体、並びにゼラチン、水及びグリセロールを含む親水性ゲル形成基剤を含有することを特徴とする、直腸又は膣投与のための薬学的組成物。
【請求項２】
前記薬学的組成物が、少なくとも１つの単糖及び／又は二糖及び／又は多糖を含むことを特徴とする、請求項１に記載の直腸又は膣投与のための薬学的組成物。
【請求項３】
前記活性物質が、該活性物質の粒子の１００％が１００マイクロメートル以下の大きさであるように、好ましくは該活性物質の粒子の８０％が５０マイクロメートル以下の大きさであるような粒子径分布を有することを特徴とする、請求項１又は２に記載の直腸又は膣投与のための薬学的組成物。
【請求項４】
前記薬学的組成物が、前記活性物質５〜５００ｍｇ、好適には前記活性物質２０〜２００ｍｇを含む単位用量の形態であることを特徴とする、請求項１〜３のいずれか１項に記載の直腸又は膣投与のための薬学的組成物。
【請求項５】
前記薬学的組成物が、直腸用坐剤又は膣用小球の形態であることを特徴とする、請求項１〜４のいずれか１項に記載の直腸又は膣投与のための薬学的組成物。
【請求項６】
請求項１〜５のいずれか１項に記載の薬学的組成物を製造する方法であって、前記活性物質を、ゼラチン、水及びグリセロールを含む熱的に液化された親水性ゲル形成基剤と混合し、得られた混合物を成形することを特徴とする、薬学的組成物を製造する方法。
【請求項７】
前記活性物質と少なくとも１つの単糖及び／又は二糖及び／又は多糖との混合物を、熱的に液化された親水性ゲル形成基剤と混合し、該活性物質は、所望の粒子径を得るように予め粉砕されていることを特徴とする、請求項６に記載の薬学的組成物を製造する方法。
【請求項８】
予め粉砕することが意図される前記活性物質との前記混合物中の少なくとも１つの単糖及び／又は二糖及び／又は多糖の含有量は、該活性物質の重量に基づいて、２０重量％以上、好ましくは５０重量％まであることを特徴とする、請求項７に記載の薬学的組成物を製造する方法。
【請求項９】
前記活性物質は、該活性物質の粒子の１００％が１００マイクロメートル以下の大きさであるような、好ましくは該活性物質の粒子の８０％が５０マイクロメートル以下の大きさであるような粒子径分布を得るように、少なくとも１つの単糖及び／又は二糖及び／又は多糖との混合物中で粉砕されることを特徴とする、請求項７又は８に記載の薬学的組成物を製造する方法。
【請求項１０】
前記活性物質と前記熱的に液化された親水性ゲル形成基剤との混合が、加工処理される混合物と接触する内部表面が不活性材料、好適にガラス又はセラミックで、或いはテフロンコーティングされた材料又は非金属的に変性された材料で作製されたミキサー中で実施されることを特徴とする、請求項６〜９のいずれか１項に記載の薬学的組成物を製造する方法。
【請求項１１】
前記活性物質を前記熱的に液化された親水性ゲル形成基剤と混合することにより得られる前記混合物を、直腸用坐剤又は膣用小球用の型へ注型した後、注型混合物を冷却するまで放置するか又は注型混合物を冷却することにより成形することを特徴とする、請求項６〜１０のいずれか１項に記載の薬学的組成物を製造する方法。
【請求項１２】
前記活性物質を前記熱的に液化された親水性ゲル形成基剤と混合することにより得られる前記混合物を、直腸用坐剤又は膣用小球用の型へ注型することにより成形し、注型混合物を冷却するまで放置した後、又は注型混合物の冷却後に、０．５ｇ〜６ｇの重量を有する直腸用坐剤又は膣用小球を提供することを特徴とする、請求項１１に記載の薬学的組成物を製造する方法。
【請求項１３】
腫瘍疾患の治療用の薬剤として使用するための請求項１〜５のいずれか１項に記載の薬学的組成物又は請求項６〜１２のいずれか１項に記載の方法により調製される薬学的組成物。
【手続補正２】
【補正対象書類名】明細書
【補正対象項目名】０００８
【補正方法】変更
【補正の内容】
【０００８】
（式中、
Ａはそれぞれ独立して、−ＮＨ３基又は炭素数１〜１８のアミノ基であり、
Ｂはそれぞれ独立して、ハロゲン原子、ヒドロキシ基又は−ＯＣ（Ｏ）Ｒ基（ここで、Ｒはそれぞれ独立して、水素原子又は炭素数１〜１０のアルキル基、アルケニル基、アリール基、アラルキル基、アルキルアミノ基若しくはアルコキシ基、或いはこれらの基の機能的誘導体である）であり、
Ｘはそれぞれ独立して、ハロゲン原子又は炭素数１〜２０のモノカルボキシレート基であるか、或いはＸは共に炭素数２〜２０のジカルボキシレート基を形成する）
を有する白金錯体、並びにゼラチン、水及びグリセロールを含む親水性ゲル形成基剤を含有することを特徴とする。
【誤訳訂正書】
【提出日】平成20年7月10日(2008.7.10)
【誤訳訂正１】
【訂正対象書類名】明細書
【訂正対象項目名】特許請求の範囲
【訂正方法】変更
【訂正の内容】
【特許請求の範囲】
【請求項１】  物理的束縛により、非共有結合相互作用により、又は物理的束縛及び非共有結合相互作用の両方により樹枝状ポリマーに少なくとも１つの無機又は有機反応物である第１反応物を局在化させること；並びに
前記第１反応物を第２反応物と反応させることにより、大きさ及び大きさの分布が樹枝状ポリマーにより決定及び制御される離散的に存在するものとしてナノスケールレベルでコンポジット中に分散している反応生成物であって、樹枝状ポリマーに束縛されたか、樹枝状ポリマーに非共有結合的に接合したか又は樹枝状ポリマーに束縛され且つ樹枝状ポリマーに非共有結合的に接合した反応生成物に変換すること；
を含み、前記第１反応物と前記第２反応物の前記反応生成物が、前記樹枝状ポリマーが可溶性である溶剤に不溶性であることを特徴とする、コンポジット組成物の形成方法。
【請求項２】  （Ａ）物理的束縛により、非共有結合相互作用により、又は物理的束縛及び非共有結合相互作用の両方により樹枝状ポリマーに少なくとも１つの無機又は有機反応物を局在化させること；並びに
（Ｂ）前記反応物を、大きさ及び大きさの分布が樹枝状ポリマーにより決定及び制御される離散的に存在するものとしてナノスケールレベルでコンポジット中に分散している反応生成物であって、樹枝状ポリマーに束縛されたか、樹枝状ポリマーに非共有結合的に接合したか又は樹枝状ポリマーに束縛され且つ樹枝状ポリマーに非共有結合的に接合した反応生成物に変換すること；
を含み、前記工程（Ａ）において、第１溶媒とこの溶媒に可溶性である前記樹枝状ポリマーを含む第１相と、前記樹枝状ポリマーが不溶性である第２溶媒とこの溶媒に可溶性である前記反応物を含む第２相との混合相中において、前記反応物が、前記第１相と前記第２相の間の界面を通過して樹枝状ポリマー分子の内部に侵入することを特徴とする、コンポジット組成物の形成方法。
【請求項３】  物理的束縛により、非共有結合相互作用により、又は物理的束縛及び非共有結合相互作用の両方により樹枝状ポリマーに少なくとも１つの無機又は有機反応物である第１反応物を局在化させること；並びに
前記第１反応物を第２反応物と反応させることにより、大きさ及び大きさの分布が樹枝状ポリマーにより決定及び制御される離散的に存在するものとしてナノスケールレベルでコンポジット中に分散している反応生成物であって、樹枝状ポリマーに束縛されたか、樹枝状ポリマーに非共有結合的に接合したか又は樹枝状ポリマーに束縛され且つ樹枝状ポリマーに非共有結合的に接合した反応生成物に変換すること；
により調製され、前記第１反応物と前記第２反応物の前記反応生成物が、前記樹枝状ポリマーが可溶性である溶剤に不溶性であることを特徴とするコンポジット組成物。
【請求項４】  （Ａ）物理的束縛により、非共有結合相互作用により、又は物理的束縛及び非共有結合相互作用の両方により樹枝状ポリマーに少なくとも１つの有機又は無機反応物を局在化させること；並びに
（Ｂ）前記反応物を、大きさ及び大きさの分布が樹枝状ポリマーにより決定及び制御される離散的に存在するものとしてナノスケールレベルでコンポジット中に分散している反応生成物であって、樹枝状ポリマーに束縛されたか、樹枝状ポリマーに非共有結合的に接合したか又は樹枝状ポリマーに束縛され且つ樹枝状ポリマーに非共有結合的に合した反応生成物に変換すること；
により調製され、前記工程（Ａ）において、第１溶媒とこの溶媒に可溶性である前記樹枝状ポリマーを含む第１相と、前記樹枝状ポリマーが不溶性である第２溶媒とこの溶媒に可溶性である前記反応物を含む第２相との混合相中において、前記反応物が、前記第１相と前記第２相の間の界面を通過して樹枝状ポリマー分子の内部に侵入することを特徴とするコンポジット組成物。
【誤訳訂正２】
【訂正対象書類名】明細書
【訂正対象項目名】発明の詳細な説明
【訂正方法】変更
【訂正の内容】
【発明の詳細な説明】
明細書第１９頁第２１行における「単一反応物」を『単一反応物の生成物』に誤訳訂正する。
【手続補正書】
【提出日】平成20年3月3日(2008.3.3)
【手続補正１】
【補正対象書類名】特許請求の範囲
【補正対象項目名】全文
【補正方法】変更
【補正の内容】
【特許請求の範囲】
【請求項１】
基板上の誘電体レイヤにおいてトレンチ深さまでトレンチをエッチングする方法であって、
ＡＲＣを前記誘電体レイヤ上に設けること、
２０００Åおよび４０００Åの間の厚さまで、厚さを有するフォトレジストマスクを前記ＡＲＣ上に形成すること、
前記ＡＲＣを通してエッチングすること、および
１：１および２：１の間であるフォトレジストに対する誘電体のエッチング選択性で、トレンチを前記誘電体レイヤ中へエッチングすること
を含む方法。
【請求項２】
請求項１に記載の方法であって、前記フォトレジストマスクを前記形成することは、１９３ｎｍまたはそれより新しい世代のフォトレジストの前記フォトレジストマスクを形成する方法。
【請求項３】
請求項１または請求項２に記載の方法であって、前記フォトレジストマスクは、ラインエッジ粗さの制御についてアグレッシブなエッチング化学物質に敏感である方法。
【請求項４】
請求項１〜請求項３のいずれかに記載の方法であって、
対向電極を前記基板に対向して置いて、前記基板をエッチングチャンバ中に置くこと、および
前記対向電極を加熱し、それにより前記トレンチを前記誘電体レイヤへとエッチングするあいだに、前記対向電極が少なくとも１４０℃の温度に達するようにすること
をさらに含む方法。
【請求項５】
請求項１〜請求項４のいずれかに記載の方法であって、前記トレンチを前記エッチングするあいだ、前記チャンバ圧力は、約６０mTorrおよび４００mTorrの間に維持される方法。
【請求項６】
請求項１〜請求項５のいずれかに記載の方法であって、前記トレンチを前記エッチングするあいだ、高周波数電力源は、５００Ｗおよび２０００Ｗの間の電力を供給する方法。
【請求項７】
請求項１〜請求項６のいずれかに記載の方法であって、前記トレンチを前記エッチングするあいだ、バイアス電力源は、０Ｗおよび１０００Ｗの間の電力を供給する方法。
【請求項８】
請求項１〜請求項７のいずれかに記載の方法であって、前記トレンチを前記エッチングすることは、ＣＦ4、Ｃ2Ｆ6、ＮＦ3、およびＳＦ6のグループから選択されるエッチャントガスを供給することを含む方法。
【請求項９】
請求項１〜請求項８のいずれかに記載の方法であって、前記エッチャントガスは、５％より少ない、重いポリマーを形成するエッチャントガスを有する方法。
【請求項１０】
請求項１〜請求項９のいずれかに記載の方法によって形成された半導体デバイス。
【請求項１１】
基板上の誘電体レイヤにおいてトレンチ深さまでトレンチをエッチングする方法であって、
ＡＲＣを前記誘電体レイヤ上に設けること、
約２０００Åおよび４０００Åの間の厚さを有する感光フォトレジストマスクを前記ＡＲＣ上に形成すること、
前記ＡＲＣを通してエッチングすること、および
クリーンエッチングでトレンチを前記誘電体レイヤ中へエッチングすること
を含む方法。
【請求項１２】
請求項１１に記載の方法であって、前記フォトレジストに対する誘電体のエッチング選択性は１：１および２：１の間である方法。
【請求項１３】
誘電体レイヤ中にフィーチャをエッチングする装置であって、
プラズマプロセスチャンバであって、
プラズマプロセスチャンバエンクロージャを形成するチャンバ壁、
基板を前記プラズマプロセスチャンバエンクロージャ内で支持する基板支持部、
前記プラズマプロセスチャンバエンクロージャ中の圧力を制御する圧力レギュレータ、
前記基板支持部に対向し、前記基板支持部から距離が置かれた電極、
前記電極を加熱する前記電極に接続されたヒーター、
前記プラズマプロセスチャンバエンクロージャ内にガスを供給するガス吸気口、および
前記プラズマプロセスチャンバエンクロージャからガスを排気するガス排気口
を備えるプラズマプロセスチャンバ、
前記ガス吸気口と流体連通したガス源、
前記ガス源、前記電極、前記ヒーター、前記圧力レギュレータ、前記ガス吸気口、および前記ガス排気口のうちの少なくとも１つに制御可能に接続されたコントローラ
を備える装置。
【請求項１４】
請求項１３に記載の装置であって、前記コントローラは、
少なくとも１つのプロセッサ、および
コンピュータで読み取り可能な媒体であって、
誘電体レイヤ中にフィーチャをエッチングするエッチングプラズマを供給するコンピュータで読み取り可能なコード、および
エッチング中に前記電極を加熱することによって、前記電極が少なくとも７０℃の温度に到達するようにするコンピュータで読み取り可能なコード
を備えるコンピュータで読み取り可能な媒体
を備える装置。
【請求項１５】
請求項１４に記載の装置であって、前記コンピュータで読み取り可能な媒体は、前記圧力を６０mTorrおよび４００mTorrの間に維持するコンピュータで読み取り可能なコードをさらに備える装置。
【請求項１６】
請求項１４または請求項１５に記載の装置であって、誘電体レイヤ中にフィーチャをエッチングするエッチングプラズマを供給するコンピュータで読み取り可能なコードは、５００Ｗおよび２０００Ｗの間の高周波数電力を供給するコンピュータで読み取り可能なコードを備える装置。
【請求項１７】
請求項１４または請求項１５に記載の装置であって、エッチング中に前記電極を加熱するコンピュータで読み取り可能なコードは、前記電極を加熱することによって、前記電極が少なくとも９０℃の温度に到達するようにする装置。
【請求項１８】
請求項１４〜請求項１６のいずれかに記載の装置であって、エッチング中に前記電極を加熱するコンピュータで読み取り可能なコードは、前記電極を加熱することによって、前記電極が少なくとも１４０℃の温度に到達するようにする装置。
【請求項１９】
請求項１４〜請求項１８のいずれかに記載の装置であって、前記コンピュータで読み取り可能な媒体は、０Ｗおよび１０００Ｗの間のバイアス電力を供給するコンピュータで読み取り可能なコードをさらに備える装置。
【請求項２０】
請求項１４〜請求項１９のいずれかに記載の装置であって、前記コンピュータで読み取り可能な媒体は、ＣＦ4、Ｃ2Ｆ6、ＮＦ3、およびＳＦ6のグループから選択されるエッチャントガスを供給するコンピュータで読み取り可能なコードをさらに備える装置。
【手続補正書】
【提出日】平成19年12月11日(2007.12.11)
【手続補正１】
【補正対象書類名】特許請求の範囲
【補正対象項目名】全文
【補正方法】変更
【補正の内容】
【特許請求の範囲】
【請求項１】
デジタルデータインタフェース通信データリンクを起動する方法であって、この方法は、
ストローブサイクルの第１の所定の範囲の間、データ信号を論理１状態に駆動すること、
デジタルデータインタフェース通信リンクを起動するために、ストローブサイクルの第２の所定の範囲の間、データ信号を論理０状態に駆動すること、そして
サブフレームヘッダパケットを伝送すること
を含む方法。
【請求項２】
データ信号は差動対からなる請求項１の方法。
【請求項３】
ストローブサイクルの第１の所定の範囲は１４０ストローブサイクルと１６０ストローブサイクルトの間を含む請求項１の方法。
【請求項４】
ストローブサイクルの第２の所定の範囲は４０ストローブサイクルと６０ストローブサイクルとの間を含む請求項１の方法。
【請求項５】
デジタルデータインタフェース通信データリンクを起動するシステムであって、このシステムは、
ストローブサイクルの第１の所定の範囲の間、データ信号を論理１状態に駆動する手段、
デジタルデータインタフェース通信リンクを起動するために、ストローブサイクルの第２の所定の範囲の間、データ信号を論理０状態に駆動する手段、そして
サブフレームヘッダパケットを伝送する手段
を含むシステム。
【請求項６】
データ信号は差動対からなる請求項５のシステム。
【請求項７】
ストローブサイクルの第１の所定の範囲は１４０ストローブサイクルと１６０ストローブサイクルトの間を含む請求項５のシステム。
【請求項８】
ストローブサイクルの第２の所定の範囲は４０ストローブサイクルと６０ストローブサイクルトの間を含む請求項５のシステム。
【請求項９】
コンピュータ読み取り可能媒体を含むコンピュータプログラム製品であって、コンピュータ読み取り可能媒体は、
デジタルデータインタフェース通信データリンクを起動させるようにするコードを含み、コンピュータコードが、
ストローブサイクルの第１の所定の範囲の間、データ信号が論理１状態に駆動されるようにするコード、
デジタルデータインタフェース通信リンクを起動するために、ストローブサイクルの第２の所定の範囲の間、データ信号が論理０状態に駆動されるようにするコード、そして
サブフレームヘッダパケットが伝送されるようにするコード
を含むコンピュータプログラム製品。
【請求項１０】
データ信号は差動対からなる請求項９のコンピュータプログラム製品。
【請求項１１】
ストローブサイクルの第１の所定の範囲は１４０ストローブサイクルと１６０ストローブサイクルとの間を含む請求項９のコンピュータプログラム製品。
【請求項１２】
ストローブサイクルの第２の所定の範囲は４０ストローブサイクルと６０ストローブサイクルとの間を含む請求項９のコンピュータプログラム製品。
【請求項１３】
モバイルディスプレイデジタルインタフェース（ＭＤＤＩ）通信システムのクライアント要求及びステータスパケットにクライアントステータスフィールドを加える方法であって、この方法は、
クライアント要求及びステータスパケットの最後の伝送以来、クライアント装置が変更したかどうかを示すために、クライアントステータスフィールド内にクライアント機能ビットを提供し、
クライアント要求及びステータスパケットの最後の伝送以来、クライアントにより受信されたパケットの処理においてエラーが検出されるかどうかを示すために、クライアントステータスフィールド内に処理エラービットを提供する
ステップを含む方法。
【請求項１４】
クライアント機能ビットを提供するステップは、クライアント装置における変更に関する第１のインジケータを、そしてクライアント装置の現状に関する第２のインジケータを提供することを含む請求項１３の方法。
【請求項１５】
クライアント装置が変更したかどうかを示すためのクライアントステータスフィールドは、クライアント装置の少なくとも１つの機能が変更したかどうかを示すためのクライアントステータスフィールドを含む請求項１３の方法。
【請求項１６】
モバイルディスプレイデジタルインタフェース（ＭＤＤＩ）通信システムのクライアント要求及びステータスパケットにクライアントステータスフィールドを加えるシステムであって、このシステムは、
クライアント要求及びステータスパケットの最後の伝送以来、クライアント装置が変更したかどうかを示すために、クライアントステータスフィールド内にクライアント機能ビットを提供する手段、そして
クライアント要求及びステータスパケットの最後の伝送以来、クライアントにより受信されたパケットの処理においてエラーが検出されるかどうかを示すために、クライアントステータスフィールド内に処理エラービットを提供する手段
を含むシステム。
【請求項１７】
クライアント機能ビットを提供する手段は、クライアント装置における変更に関する第１のインジケータを、そしてクライアント装置の現状に関する第２のインジケータを含む請求項１６のシステム。
【請求項１８】
クライアント装置が変更したかどうかを示すためのクライアントステータスフィールドは、クライアント装置の少なくとも１つの機能が変更したかどうかを示すためのクライアントステータスフィールドを含む請求項１６のシステム。
【請求項１９】
コンピュータ読み取り可能媒体を含むコンピュータプログラム製品であって、コンピュータ読み取り可能媒体は、
モバイルディスプレイデジタルインタフェース（ＭＤＤＩ）通信システムのクライアント要求及びステータスパケットにクライアントステータスフィールドが加えられるようにするコードを含み、コンピュータコードが、
クライアント要求及びステータスパケットの最後の伝送以来、クライアント装置が変更したかどうかを示すために、クライアントステータスフィールド内にクライアント機能ビットが含まれるようにするコード、そして
クライアント要求及びステータスパケットの最後の伝送以来、クライアントにより受信されたパケットの処理においてエラーが検出されるかどうかを示すために、クライアントステータスフィールド内に処理エラービットが含まれるようにするコード
を含むコンピュータプログラム製品。
【請求項２０】
クライアント機能ビットが含まれるようにするコードは、クライアント装置における変更のために第１のインジケータとそしてクライアント装置の現状のために第２のインジケータを提供することを含む請求項１９のコンピュータプログラム製品。
【請求項２１】
クライアント装置が変更したかどうかを示すためのクライアントステータスフィールドは、クライアント装置の少なくとも１つの機能が変更したかどうかを示すためのクライアントステータスフィールドを含む請求項１９のコンピュータプログラム製品。